(57)【要約】【課題】スパウトとスパウトの先に連結する噴霧手段との着脱の際に、不用意に容器側のノズルステムを押圧しないようにした着脱手段を開発して、妄りに噴射を生じないようにした噴霧装置を提供する。【解決手段】エアゾール噴霧装置を、エアゾール容器のノズルステムを覆って上部に嵌着されるスパウト１と、スパウトに着脱自在に結合される噴霧手段６との２部材により構成し、スパウト１の筒部３の外周に螺旋溝４を一体に具え、噴霧手段の基部内面に、上記螺旋溝４と螺合する雌ねじ部７を設け、この雌ねじ部と噴霧手段の噴霧開口部８との間にエアゾール導出路９を設けたエアゾール噴霧装置である。【選択図】        図１
2004268984.tif 000002
【特許請求の範囲】
【請求項１】
エアゾール噴霧装置は、エアゾール容器のノズルステムを覆って上部に嵌着されるスパウトと、スパウトに着脱自在に連結される噴霧手段との２部材により構成され、上記スパウトの筒部の外周に螺旋溝を一体に具え、上記噴霧手段の基部内面に、上記螺旋溝と螺合する雌ねじ部を設け、この雌ねじ部と噴霧手段の噴霧開口部との間にエアゾール導出路を設けたことを特徴とするエアゾール噴霧装置。
【請求項２】
前記スパウトと噴霧手段はそれぞれ樹脂の成形体で形成され、前記噴霧手段は、前記噴霧開口部を設けた表面部に、櫛形またはブラシ形または歯ブラシ形あるいは筆形など使用目的に沿った構造部を一体に具えたことを特徴とする請求項１記載のエアゾール噴霧装置。
【発明の詳細な説明】
【０００１】
【発明が属する技術分野】
この発明は、例えば整髪用液を収容したエアゾール容器に嵌着して用いられるようにしたエアゾール噴霧装置に関し、エアゾール噴霧装置を、エアゾール容器のノズルステムを覆って上部に嵌着されるスパウトと、スパウトに着脱自在に連結される噴霧手段との２部材により構成したことを特長とするものである。
【０００２】
【従来の技術】
従来のこの種の噴霧装置には、エアゾール容器の上部に嵌着するスパウトに、整髪用櫛本体を組み合わせて用いられるようにしたものがある（例えば、特許文献１参照）。
また、スパウトにブラシを組み合わせて整髪料を頭髪に塗布できるようにしたものもある（例えば、特許文献２参照）。
さらに、エアゾール容器の上部に嵌着するスパウトに、別体に形成した球形の先端部を連結し、ノズルを備えた球形の先端部で頭部を叩きながら、その衝撃でスパウトを作動させ、エアゾール容器から頭皮に薬剤を供給し、薬剤の塗布と頭のマッサージを同時にできるようにしたものもある（例えば、特許文献３参照）。
【０００３】
【特許文献１】
特開平１０−２７６８３１号公報（第１頁、図２）
【特許文献２】
特公平６−２８５５８６号公報（第１頁、図２）
【特許文献３】
特開平７−１９８３５２号公報（第１頁、図２）
【０００４】
【発明が解決しようとする課題】
上記先願の噴霧手段は、何れもスパウトの筒部の軸線方向に沿う直線方向に圧力を加えながら所定の噴霧手段、例えば櫛とかブラシを着脱するようにしていたので、その着脱操作の際に、スパウトのノズル嵌合部がエアゾール容器側のノズルステムを押圧して、容器に収容されている液を不用意に噴射させるおそれがある。
このようなことから本発明が解決しようとする課題は、スパウトとスパウトの先に連結する噴霧手段との着脱の際に、不用意に容器側のノズルステムを押圧しないようにした着脱手段を開発して、妄りに噴射を生じないようにした噴霧装置を提供することにある。
【０００５】
【課題を解決するための手段】
そこで本発明は、上記の課題を解決するために、エアゾール噴霧装置を、エアゾール容器のノズルステムを覆って上部に嵌着されるスパウトと、スパウトに着脱自在に結合される噴霧手段との２部材により構成し、上記スパウトの筒部の外周に螺旋溝を一体に具え、上記噴霧手段の基部内面に、上記螺旋溝と螺合する雌ねじ部を設け、この雌ねじ部と噴霧手段の噴霧開口部との間にエアゾール導出路を設けたことを特徴とするエアゾール噴霧装置を提供するものである。
【０００６】
上記のように、スパウトと噴霧手段との連結構造として螺旋ねじを採用した本発明噴霧装置は、両部材を着脱する操作方向がスパウトの筒部の外周に沿った回転操作により行われるので、着脱初期動作、締結最終動作ともに、軸方向への直線的な圧力を加えることなく行われ、着脱の際のノズルステムの不用意な作動を回避できる。したがって、噴射が不意に生ずるおそれが防止されるとともに、スパウトと噴霧手段との緊締も十分に行われ、安全にエアゾールの使用ができる。
【０００７】
スパウトと噴霧手段をそれぞれ樹脂の成形体で形成し、噴霧手段は、噴霧開口部を設けた表面部に、櫛形またはブラシ形または歯ブラシ形あるいは筆形など使用目的に沿った構造部を一体に具えたことを特徴とする請求項２の発明によれば、本発明に係るエアゾール噴霧装置の用途を整髪具に限らず多方面に応用できる利点がある。
【０００８】
【実施の態様】
図面に示す実施の態様は、スパウトと噴霧手段をそれぞれ樹脂の成形体で形成し、スパウトの筒部の外周に螺旋溝を設け、螺旋溝を介して着脱自在に接続される噴霧手段の１例として、ブラシ形の噴霧手段を螺合させるようにした場合のものである。
【０００９】
【実施例】
以下に本発明の実施例を図面について説明する。
図１は、スパウトと噴霧手段を示す分解縦断面図、図２は、ブラシ形の噴霧手段の正面図である。
【００１０】
実施例を示す図面において、１は、図示省略のエアゾール容器の上部に嵌着するスパウト、２は、スパウト１の内面に形成したノズルステム（図示省略）との嵌合部、３は、嵌合部２から上方に延長されエアゾールを誘導する筒部、４は、筒部３の外周に一体に形成した螺旋溝、５は、筒部３の基部一側に形成され、嵌合部２を外側から押してノズルステムを作動させる操作ボタンである。
【００１１】
６は、上記螺旋溝４を介してスパウト１に着脱自在に接続される噴霧手段、７は、噴霧手段６の基部内面に、スパウト１の螺旋溝４と螺合するように形成した雌ねじ部、８は、噴霧手段６の中央部に縦長に設けた噴霧開口部、９は、噴霧手段６の内部で噴霧開口部８と雌ねじ部７を連通するエアゾール導出路、１０は、噴霧開口部８を具えた噴霧手段設６の表面部１１に一体に形成したブラシ部である。
【００１２】
上記のように構成したこの噴霧装置は、噴霧手段６を接続したスパウト１の操作ボタン５を押し下げることによりにノズルステムが作動し、エアゾール容器から噴出するエアゾールは、筒部３、エアゾール導出路９を通り、噴霧開口部８からブラシ部１０に供給される。また、操作ボタン５の押し下げを開放すればエアゾールの噴出が止まることはいうまでもない。
【００１３】
なお、この実施例において、スパウト１と噴霧手段設６は共に樹脂製の成形体で形成されている。また、この実施例では、噴霧開口部８を開口させた噴霧手段設６の表面部１１に、エアゾールを噴出する構造体として図示のように長短を付けた４列のブラシ部１０を具えた例を示しているが、本発明の実施に際して、構造体はブラシに限らず、例えば櫛とか歯ブラシとか筆のような形態を具えたものであっても良く、エアゾールを何に使うかという使用目的に応じて構造体の形状、形成位置ならびに各部の形状は適宜に設計変更できる。また、スパウト１の形状についても図示の態様に限らない。
【００１４】
上記のように、スパウト１と噴霧手段６との接続構造として螺旋溝４と雌ねじ部７を用いた本発明によれば、両部材を着脱する操作方向がスパウト１の筒部３の外周に沿った回転操作により行われるので、スパウト１と噴霧手段６の着脱初期動作、締結最終動作がともに軸方向への直線的な圧力を加えることなく行われる。したがって、着脱の際のノズルステムへの不用意な作動を回避することができ、エアゾールの噴射が不意に生ずるおそれを防止できるとともに、スパウト１と噴霧手段６との緊締も十分に行われ、安全にエアゾールの使用ができる。なお、本発明において、螺旋溝４と雌ねじ部７とのねじ止まりは、ノズルステムの作動位置まで達しないように定められていることはいうまでもない。
【００１５】
本発明の実施に際しては噴霧手段６側に螺旋溝４を設け、スパウト１側に雌ねじ部７を設ける場合もある。さらにスパウト１と噴霧手段６とは必ずしも１対１に限らず、スパウト１に対して複数種類の噴霧手段６を用意し、用途に応じて交換して使用する場合もある。また、埃飛ばしをする場合のように噴霧手段６を接続しないでスパウト１のみを使用する使用方法もある。
【００１６】
【発明の効果】
前記のように構成し、上記のように用いられるようにした本発明エアゾール噴霧装置は、スパウトと噴霧手段との着脱が容易にでき、かつ、着脱に際してノズルステムの作動が不用意に起きない。また、部品点数が少ないので安価に製造できる利点があり、非使用時には互いに分解しておけるので、販売時の荷姿を小さくしたり、持ち運びに便利で、実用性に優れているという効果がある。
【図面の簡単な説明】
【図１】図１は、スパウトと噴霧手段を示す分解縦断面図
【図２】図２は、ブラシ形の噴霧手段の正面図である。
【符号の説明】
１    スパウト
２    嵌合部
３    筒部
４    螺旋溝
５    操作ボタン
６    噴霧手段
７    雌ねじ部
８    噴霧開口部
９    エアゾール導出部
１０  ブラシ部
１１  表面部
【図１】
2004268984.tif 000003
【図２】
2004268984.tif 000004